(57)【要約】【課題】各外壁試験片を同じ条件で試験することを可能にしながら、外壁試験片の配置数の増大に伴って左右方向に長くなることを抑制すること。【解決手段】暴露試験台１００は、基礎台１０と、上記基礎台１０に固定されて左右方向１６へ延びる角柱形状の第１フレーム材１１と、上記第１フレーム材１１に固定されて上下方向１８に対して傾斜しつつ前後方向１７へ延びる角柱形状の第２フレーム材１２と、上記第２フレーム材１２に固定されて上記左右方向１６へ延びつつ並列された複数の第３フレーム材１３と、上記各第３フレーム材１３にそれぞれ固定されており、暴露試験を受ける外壁試験片１５を支持する複数の保持具１４と、を備える。【選択図】図１
2018087787.tif 000002
【特許請求の範囲】
【請求項１】
前後方向及び左右方向に拡がる支持面を有する基礎台と、
上記基礎台の上記支持面と当接する第１面、及び当該第１面と交差するように傾斜した第２面を有しており、上記基礎台に固定されて上記左右方向へ延びる角柱形状の第１フレーム材と、
上記第１フレーム材の上記第２面と当接する第３面、及び当該第３面と平行な第４面を有しており、上記第１フレーム材に固定されて上下方向に対して傾斜しつつ上記前後方向へ延びる角柱形状の第２フレーム材と、
上記第２フレーム材の上記第４面と当接する第５面、及び当該第５面と交差するように傾斜した第６面を有しており、上記第２フレーム材に固定されて上記左右方向へ延びつつ並列された複数の第３フレーム材と、
上記各第３フレーム材にそれぞれ固定されており、暴露試験を受ける外壁試験片を支持する複数の保持具と、を備える暴露試験台。
【請求項２】
上記第２面が水平面に対して傾斜する第１鋭角は、上記第６面が水平面に対して傾斜する第２鋭角より小さい請求項１に記載の暴露試験台。
【請求項３】
上記保持具は、上記外壁試験片が固定される第７面を有する固定板を備えており、
上記固定板の上記第７面は、上記第６面と平行である請求項１又は２に記載の暴露試験台。
【請求項４】
上記固定板の上部に配置され、上記固定板に対する近位端が遠位端より下方に位置して上記第７面と交差するように傾斜する第８面を有する雨水受け材を更に具備しており、
上記雨水受け材の近位端は、上記第７面より上記外壁試験片の表面に近い請求項３に記載の暴露試験台。
【請求項５】
上記雨水受け材は、上記近位端の位置が上記前後方向に変更可能に上記固定板に接続されている請求項４に記載の暴露試験台。
【請求項６】
上記第３フレーム材は、上記左右方向に延びる凹溝を上記第６面に有しており、
上記各保持具は、上記凹溝に係合されて上記第３フレーム材における固定位置を上記左右方向へ変更可能である請求項１から５のいずれかに記載の暴露試験台。
【請求項７】
上記第１フレーム材は、上記前後方向に離れた一対が少なくとも配置されており、
上記第２フレーム材は、上記左右方向に離れた一対が少なくとも配置されている請求項１から６のいずれかに記載の暴露試験台。
【請求項８】
上記基礎台は、複数のフレーム材が組み付けられたフレーム構造である請求項１から７のいずれかに記載の暴露試験台。
【発明の詳細な説明】
【技術分野】
【０００１】
本発明は、屋外での暴露試験を受ける外壁試験片を支持する暴露試験台に関する。
【背景技術】
【０００２】
建物の外壁面、すなわち外壁材又は当該外壁材間の目地に配置されたシーリング材の外面には、塵埃の付着による汚染が発生する。このような汚染を発生させる原因の１つに降雨がある。降雨による汚染が雨筋汚染と呼ばれる。
【０００３】
雨筋汚染の発生や程度を確認する方法として、屋外暴露試験が行われている。屋外暴露試験では、外壁材及びシーリング材を含む板状の外壁試験片が、風、塵埃、及び雨水などに曝されるように屋外に設置される。屋外暴露試験の一例として、特許文献１に開示される技術がある。
【０００４】
図１０に示されるように、複数の外壁試験片を同時に試験可能な試験台として、上下方式の試験台、前後方式の試験台、及び横方式の試験台がある。図１０（ａ）に示される上下方式の試験台では、複数の外壁試験片１５が上下方向１８に配置される。図１０（ｂ）に示される前後方式の試験台では、複数の外壁試験片１５が前後方向１７に配置される。図１０（ｃ）に示される左右方式の試験台では、複数の外壁試験片１５が左右方向１６に配置される。外壁試験片１５には、塵埃及び雨水が、風により前後方向１７から当たると共に、自重により上下方向１８から当たる。
【先行技術文献】
【特許文献】
【０００５】
【特許文献１】特開２０１２−１８９４７５号公報
【発明の概要】
【発明が解決しようとする課題】
【０００６】
前後方式の試験台では、前後方向１７に向かって進む塵埃及び雨水は、後方に配置された外壁試験片１５に対して、前方に配置された外壁試験片１５が塵埃及び雨水を遮断する。このため、前後方式の試験台は、各外壁試験片１５に対して塵埃及び雨水が同等に当たらないという問題がある。上下方式の試験台では、前後方向１７及び上下方向１８からの塵埃及び雨水が、各外壁試験片１５に当たる。しかしながら、上方の外壁試験片１５の汚れが下方の外壁試験片１５に流れてしまうという問題がある。左右方式の試験台では、前後方向１７及び上下方向１８からの塵埃及び雨水が、各外壁試験片１５に当たる。左右方式の試験台では、ある外壁試験片１５の汚れが別の外壁試験片１５に流れることはない。しかしながら、外壁試験片１５の数を増やすためには、各外壁試験片１５を支持する支持台を左右方向１６に長くする必要があり、大きな設置場所が必要となる。
【０００７】
本発明は、前述された事情に鑑みてなされたものであり、その目的は、実環境で生じる雨筋汚染を各外壁試験片に対して同じ条件で効果的に再現することである。
【課題を解決するための手段】
【０００８】
(1)  本発明に係る暴露試験台は、前後方向及び左右方向に拡がる支持面を有する基礎台と、上記基礎台の上記支持面と当接する第１面、及び当該第１面と交差するように傾斜した第２面を有しており、上記基礎台に固定されて上記左右方向へ延びる角柱形状の第１フレーム材と、上記第１フレーム材の上記第２面と当接する第３面、及び当該第３面と平行な第４面を有しており、上記第１フレーム材に固定されて上下方向に対して傾斜しつつ上記前後方向へ延びる角柱形状の第２フレーム材と、上記第２フレーム材の上記第４面と当接する第５面、及び当該第５面と交差するように傾斜した第６面を有しており、上記第２フレーム材に固定されて上記左右方向へ延びつつ並列された複数の第３フレーム材と、上記各第３フレーム材にそれぞれ固定されており、暴露試験を受ける外壁試験片を支持する複数の保持具と、を備える。
【０００９】
上記構成によれば、上下方向に対して傾斜しつつ前後方向へ延びる第２フレーム材に、左右方向へ延びつつ並列された複数の第３フレーム材が固定され、各第３フレーム材に複数の保持具が固定されている。外壁試験片が左右方向だけでなく、前後方向及び上下方向にも並んで配置されている。そのため、外壁試験片の配置数の増大に伴って暴露試験台が左右方向に長くなることが抑制される。外壁試験片が上下方向に並んでいるので、前後方向及び上下方向からの塵埃及び雨水が、各外壁試験片に他の外壁試験片によって遮られることなく当たる。外壁試験片が前後方向に並んでいるので、上側の外壁試験片の汚れが下側の外壁試験片に流れることがない。したがって、各外壁試験片が、外壁試験片の配置された位置に関係なく、同じ条件で試験され、実環境で生じる雨筋汚染が各外壁試験片に対して同じ条件で効果的に再現される。
【００１０】
(2)  好ましくは、上記第２面が水平面に対して傾斜する第１鋭角は、上記第６面が水平面に対して傾斜する第２鋭角より小さい。
【００１１】
上記構成によれば、第１鋭角が第２鋭角より小さいので、第２面に当接する第３面を有する第２フレーム材の姿勢とは独立して、保持具の姿勢を起立させることができる。したがって、保持具に支持された外壁試験片に、前後方向からの塵埃及び雨水を良好に当てることができる。
【００１２】
(3)  好ましくは、上記保持具は、上記外壁試験片が固定される第７面を有する固定板を備えており、上記固定板の上記第７面は、上記第６面と平行である。
【００１３】
(4)  好ましくは、上記固定板の上部に配置され、上記固定板に対する近位端が遠位端より下方に位置して上記第７面と交差するように傾斜する第８面を有する雨水受け材を更に具備しており、上記雨水受け材の近位端は、上記第７面より上記外壁試験片の表面に近い。
【００１４】
上記構成によれば、暴露試験台が雨水受け材を備えているので、雨水受け材に当たった塵埃及び雨水が雨水受け材を伝って、保持具に支持された外壁試験片に流れうる。各外壁試験片に当たる塵埃及び雨水の量を増大させることができるので、より効率的な暴露試験が実施可能となる。
【００１５】
(5)  好ましくは、上記雨水受け材は、上記近位端の位置が上記前後方向に変更可能に上記固定板に接続されている。
【００１６】
上記構成によれば、雨水受け材の近位端の位置が前後方向において変更可能であるので、雨水受け材に当たった塵埃及び雨水が適切に外壁試験片に流される。
【００１７】
(6)  好ましくは、上記第３フレーム材は、上記左右方向に延びる凹溝を上記第６面に有しており、上記各保持具は、上記凹溝に係合されて上記第３フレーム材における固定位置を上記左右方向へ変更可能である。
【００１８】
上記構成によれば、保持具は、第３フレーム材における固定位置を左右方向に変更可能であるので、保持具の固定位置に自由度がある。
【００１９】
(7)  好ましくは、上記第１フレーム材は、上記前後方向に離れた一対が少なくとも配置されており、上記第２フレーム材は、上記左右方向に離れた一対が少なくとも配置されている。
【００２０】
上記構成によれば、複数の第１フレーム材及び複数の第２フレーム材が設けられているので、暴露試験台の剛性が強化され、各外壁試験片がより安定的に支持される。
【００２１】
(8)  好ましくは、上記基礎台は、複数のフレーム材が組み付けられたフレーム構造である。
【発明の効果】
【００２２】
本発明に係る暴露試験台は、実環境で生じる雨筋汚染を各外壁試験片に対して同じ条件で効果的に再現できる。
【図面の簡単な説明】
【００２３】
【図１】図１は、第１実施形態に係る暴露試験台１００の斜視図である。
【図２】図２は、第１実施形態に係る暴露試験台１００の正面図である。
【図３】図３は、第１実施形態に係る暴露試験台１００の側面図である。
【図４】図４は、第１実施形態に係る第１フレーム材１１、第２フレーム材１２、第３フレーム材１３、及び第３フレーム材１３に支持された保持具１４の側面図である。
【図５】図５は、連結具２５の構成を示す斜視図である。
【図６】図６は、第２実施形態に係る暴露試験台２００の正面図である。
【図７】図７は、第２実施形態に係る暴露試験台２００の側面図である。
【図８】図８は、第２実施形態に係る第３前フレーム材１１３、及び第３前フレーム材１１３に支持された保持具１４の側面図である。
【図９】図９は、第２実施形態に係る第３後フレーム材２１３、第３後フレーム材２１３に支持された保持具１４、及び保持具１４に固定された雨水受け材１９の側面図である。
【図１０】図１０は、暴露試験の試験方式を示す模式図であり、図１０（ａ）は上下方式を示し、図１０（ｂ）は前後方式を示し、図１０（ｃ）は左右方式を示す。
【発明を実施するための形態】
【００２４】
以下、本発明の好ましい実施形態が説明される。なお、各実施形態は、本発明の一実施態様にすぎず、本発明の要旨を変更しない範囲で実施態様が変更できることは言うまでもない。
【００２５】
［第１実施形態に係る暴露試験台１００］
図１から図３に示されるように、第１実施形態に係る暴露試験台１００は、基礎台１０と、２つの第１フレーム材１１と、３つの第２フレーム材１２と、３つの第３フレーム材１３と、１８個の保持具１４と、を備えている。各保持具１４には、暴露試験を受ける外壁試験片１５が固定されている。これらのフレーム材１１、１２、１３及び保持具１４の材質は、本実施形態ではアルミニウムである。外壁試験片１５に雨水及び塵埃が当たって外壁試験片１５が試験されるように、暴露試験台１００は、屋外に配置される。
【００２６】
暴露試験台１００の方向について、左右方向１６、前後方向１７、及び上下方向１８は、以下のように規定されている。暴露試験台１００に支持された複数の外壁試験片１５が並んでいる方向が左右方向１６であり、水平面内で左右方向１６に直交する方向が前後方向１７である。上下方向１８は、暴露試験台１００が設置された地面又は床面に直交する方向である。
【００２７】
基礎台１０は、複数のフレーム材２１、２２、２３、２４が組み付けられたフレーム構造である。このフレーム構造は、２つの前フレーム材２１、２つの後フレーム材２２、４つの縦フレーム材２３、及び３つの横フレーム材２４を有する。これらのフレーム材２１、２２、２３、２４は、直方体のいずれかの辺に相当する位置に配置されて互いに組み付けられている。フレーム材２１、２２、２３、２４の材質は、本実施形態ではアルミニウムである。
【００２８】
フレーム材２１、２２、２３、２４は、四角柱形状を有している。前フレーム材２１の軸線は上下方向に向けられており、２つの前フレーム材２１は左右方向に並んで配置されている。後フレーム材２２の軸線は上下方向に向けられており、２つの後フレーム材２２は左右方向に並んで配置されている。２つの後フレーム材２２はそれぞれ、２つの前フレーム材２１の後方に位置している。後フレーム材２２の軸線に沿った長さは、前フレーム材２１の軸線に沿った長さよりも長い。縦フレーム材２３の軸線は前後方向１７を向いており、４つの縦フレーム材２３は互いに平行に配置されている。２つの縦フレーム材２３は、前フレーム材２１の下端部と後フレーム材２２の下端部との間に配置されている。残りの２つの縦フレーム材２３は、前フレーム材２１の上端部と後フレーム材２２の中途部との間に配置されている。また、フレーム材２１、２２、２３、２４は、直交する２つのフレーム材２１、２２、２３、２４の隅部に配置された連結具２５により互いに連結されている。連結具２５については、図５を参照して後述される。
【００２９】
図３に示されるように、基礎台１０は、第１フレーム材１１を支持する支持面を有している。支持面は、前フレーム材２１の上端面２６及び後フレーム材２２の上端面２７である。前フレーム材２１の上端面２６は、前フレーム材２１の一対の軸端面のうち、前フレーム材２１が配置された状態において上方に位置する面である。後フレーム材２２の上端面２７は、後フレーム材２２の一対の軸端面のうち、後フレーム材２２が配置された状態において上方に位置する面である。前フレーム材２１の上端面２６及び後フレーム材２２の上端面２７は、水平面と平行であり、前後方向１７及び左右方向１６に拡がる面である。基礎台１０は、２つの前フレーム材２１及び２つの後フレーム材２２を備えているので、基礎台１０は、４つの支持面を有している。これらの４つの支持面は、水平面と平行である。
【００３０】
図１から図４に示されるように、暴露試験台１００は、前後方向１７に離れて配置された一対の第１フレーム材１１を備えている。第１フレーム材１１は、６角柱形状を有している。第１フレーム材１１の軸線周りの外周面は、６つの外面からなっている。６つの外面は、第１面３１及び第２面３２と、２つの短手面７１と、２つの長手面７２とからなる。２つの短手面７１は、第１面３１の一端及び第２面３２の一端を連結している。２つの長手面７２は、第１面３１の他端及び第２面３２の他端を連結している。２つの短手面７１のなす角度は、１８０°よりも小さく、２つの短手面７１の間で第１フレーム材１１の外周面に窪みが形成されている。第１面３１は、基礎台１０の前フレーム材２１の上端面２６と当接する外面である。第２面３２は、第１面３１と交差するように傾斜した外面である。第１実施形態では第２面３２が第１面３１となす角度は、３０°である。
【００３１】
第１フレーム材１１の軸線は左右方向に向けられている。前側の第１フレーム材１１の第１面３１に前フレーム材２１の２つの上端面２６が当接している。後側の第１フレーム材１１の第１面３１に後フレーム材２２の２つの上端面２７が当接している。図１に示されるように、前側の第１フレーム材１１は、２つの連結具２５によりそれぞれ２つの前フレーム材２１に固定されている。２つの連結具２５は、第１フレーム材１１の両端部にそれぞれ配置されている。同様に、後側の第１フレーム材１１は、２つの連結具２５によりそれぞれ２つの後フレーム材２２に固定されている。
【００３２】
前側の第１フレーム材１１において、第１面３１に前フレーム材２１の上端面２６が当接しており、前フレーム材２１の上端面２６は支持面である。そのため、第２面３２が水平面に対して傾斜する第１鋭角８１は、第２面３２が第１面３１に対して傾斜する角度（３０°）に等しい。同じく、後側の第１フレーム材１１において、第２面３２が水平面に対して傾斜する第１鋭角８１は、第２面３２が第１面３１に対して傾斜する角度（３０°）に等しい。
【００３３】
図４に示されるように、第１フレーム材１１は、第１面３１及び第２面にそれぞれに開口する２つのレール溝４１を有する。レール溝４１は、第１フレーム材１１の軸線に沿って延びる凹溝である。第１フレーム材１１の軸線は左右方向１６に向けられているので、レール溝４１は左右方向１６に延びている。レール溝４１を介して、第１フレーム材１１が連結具２５に固定されている。
【００３４】
図５に示されるように、連結具２５は、ブラケット２８、先入れボルト２９、及びナット３０から構成されている。概略的には、ブラケット２８と第１フレーム材１１のような相手側部品とを、先入れボルト２９及びナット３０により締結することで、ブラケット２８と相手側部品とが固定される。
【００３５】
ブラケット２８は、Ｌ字状の本体部２８ａと、２つの三角形状の板部２８ｂとを有する。２つの板部２８ｂはそれぞれ本体部２８ａの両端部に固定されている。本体部２８ａには、互いに直交する方向に延びる２つの貫通孔２８ｃが形成されている。先入れボルト２９は、軸部２９ａと頭部２９ｂとを有する。頭部２９ｂは、軸部２９ａの軸線と直交する軸線に沿って延びる角柱形状を有している。そのため、頭部２９ｂが第１フレーム材１１のレール溝４１に挿入された状態では、頭部２９ｂはレール溝４１内で左右方向１６（第１フレーム材１１の軸線方向）に移動可能かつ回転不能となる。したがって、第１フレーム材１１の外部に配置されたナット３０を空回りさせることなく、第１フレーム材１１のレール溝４１に配置された先入れボルト２９に、ナット３０を締結させることができる。
【００３６】
第１面３１に当接して配置された連結具２５（図１、図２）により、第１フレーム材１１が前フレーム材２１に固定され、第１フレーム材１１が後フレーム材２２に固定されている。
【００３７】
図１から図４に示されるように、暴露試験台１００は、左右方向１６に離れて配置された３つの第２フレーム材１２を備えている。第２フレーム材１２は、４角柱形状を有している。第２フレーム材１２の軸線周りの外周面は、４つの外面からなっている。４つの外面は、第３面３３及び第４面３４と、２つの側面８３とからなる。各側面８３は、第３面３３及び第４面３４の両端間をそれぞれ連結している。第３面３３は、第１フレーム材１１の第２面３２と当接する外面である。第４面３４は、第３面３３と平行である。
【００３８】
第２フレーム材１２の軸線は、上下方向１８に対して傾斜しつつ前後方向１７に延びる傾斜方向２０に向けられている。第２フレーム材１２の第３面３３に、前後に配置された２つの第１フレーム材１１の第２面３２がそれぞれ当接している。図１、図２に示されるように、各第２フレーム材１２は、２つの連結具２５により、前後に配置された２つの第１フレーム材１１にそれぞれ固定されている。
【００３９】
第２フレーム材１２は、４つの外面にそれぞれ開口する４つのレール溝４２を有する。レール溝４２は、第２フレーム材１２の軸線に沿って延びる凹溝である。第２フレーム材１２の軸線は傾斜方向２０に向けられているので、レール溝４２は傾斜方向２０に延びている。第２フレーム材１２のレール溝４２の軸断面形状は、第１フレーム材１１のレール溝４１の軸断面形状と同一である。したがって、第２フレーム材１２は、連結具２５を用いて、他の部品に固定可能である。第３面３３に当接して配置された連結具２５（図１、図２、図４）により、第２フレーム材１２が第１フレーム材１１に固定されている。
【００４０】
図１から図４に示されるように、暴露試験台１００は、前後方向１７に並列して配置された３つの第３フレーム材１３を備えている。第３フレーム材１３は、６角柱形状を有している。第３フレーム材１３の軸線周りの外周面は、６つの外面からなっている。６つの外面は、固定面４０及び第６面３６と、２つの短手面７３と、第５面３５及び長手面７４とからなる。２つの短手面７３は、固定面４０の一端及び第６面３６の一端を連結している。第５面３５及び長手面７４は、固定面４０の他端及び第６面３６の他端を連結している。２つの短手面７３のなす角度は、１８０°よりも小さく、２つの短手面７３の間で第３フレーム材１３の外周面に窪みが形成されている。第５面３５は、第２フレーム材１２の第４面３４と当接する外面である。固定面４０は、連結具２５に当接する外面である。第６面３６は、第５面３５と交差するように傾斜した外面である。第１実施形態では第６面３６が第５面３５となす角度７５は、３０°である。また、第６面３６が固定面４０となす角度７６は、６０°である。固定面４０が第６面３６となす角度を除いて、第３フレーム材１３は、第１フレーム材１１と同一の構成を有している。
【００４１】
第３フレーム材１３の軸線は、左右方向１６に向けられている。第３フレーム材１３の第５面３５に、左右に配置された２つの第２フレーム材１２の第４面３４がそれぞれ当接している。図１から図４に示されるように、各第３フレーム材１３は、２つの連結具２５により、左右方向１６に配置された３つの第２フレーム材１２にそれぞれ固定されている。
【００４２】
第３フレーム材１３は、固定面４０及び第６面３６にそれぞれ開口する２つのレール溝４３を有する。レール溝４３は、第３フレーム材１３の軸線に沿って延びる凹溝である。第３フレーム材１３の軸線は左右方向１６に向けられているので、レール溝４３は左右方向１６に延びている。第３フレーム材１３のレール溝４３の軸断面形状は、第１フレーム材１１のレール溝４１の軸断面形状と同一である。したがって、第３フレーム材１３は、連結具２５を用いて、他の部品に固定可能である。固定面４０に当接して配置された連結具２５（図１から図４）により、第３フレーム材１３が第２フレーム材１２に固定されている。
【００４３】
第６面３６が水平面に対して傾斜する第２鋭角８２は、第６面３６が第５面３５に対して傾斜する角度７５に、第５面３５が水平面に対して傾斜する角度を加えた角度である。第６面３６が第５面３５に対して傾斜する角度７５は、上述したように３０°である。第５面３５が水平面に対して傾斜する角度は、第２面３２が水平面に対して傾斜する第１鋭角８１に等しく、第１鋭角８１は、上述したように３０°である。したがって、第２鋭角８２は、３０°に３０°を加えて得られる６０°である。
【００４４】
第１鋭角８１は３０°であり、第２鋭角８２は６０°であるので、第１鋭角８１は第２鋭角８２よりも小さい。
【００４５】
図１から図４に示されるように、暴露試験台１００は、第３フレーム材１３に固定された１０個の保持具１４を備えている。図１に示されるように、前側の第３フレーム材１３に２つの保持具１４が固定され、中間の第３フレーム材１３に８つの保持具１４が固定され、後側の第３フレーム材１３に８つの保持具１４が固定されている。
【００４６】
保持具１４は、外壁試験片１５が固定される固定板５０を備えている。固定板５０は、平板であり、固定板５０の板厚方向に直交する２つの外面を有している。これらの２つの外面の一方の面が、外壁試験片１５が固定される第７面３７である。これらの２つの外面は、互いに平行である。固定板５０が第３フレーム材１３の第６面３６に当接した状態では、固定板５０の第７面３７は第６面３６と平行である。第７面３７は第６面３６と平行であるので、外壁試験片１５は、水平面に対して第２鋭角８２（６０°）で傾斜している。
【００４７】
固定板５０の周縁部には、２つの貫通孔５１が形成されている。貫通孔５１に先入れボルト２９の軸部２９ａが挿入可能である。第３フレーム材１３のレール溝４３内に挿入された先入れボルト２９と、先入れボルト２９に締結されるナット３０とにより、固定板５０は第３フレーム材１３に固定されている。
【００４８】
先入れボルト２９の頭部２９ｂはレール溝４３に沿って左右方向１６に移動可能且つ回転不能である。そのため、連結具２５による固定板５０の第３フレーム材１３に対する固定位置は、左右方向１６において変更可能である。
【００４９】
図１から図４に示されるように、外壁試験片１５は、２つの外壁材５２と、２つの外壁材５２の間に配置されたシーリング材５３と、を備えている。外壁材５２及びシーリング材５３は、暴露試験を受ける対象物である。外壁試験片１５は、保持具１４の固定板５０に固定されている。
【００５０】
［第１実施形態の作用効果］
第１実施形態に係る暴露試験台１００によれば、上下方向１８に対して傾斜しつつ前後方向１７へ延びる第２フレーム材１２に、左右方向１６へ延びつつ並列された複数の第３フレーム材１３が固定され、各第３フレーム材１３に複数の保持具１４が固定されている。外壁試験片１５が左右方向１６だけでなく、前後方向１７及び上下方向１８にも並んで配置されている。そのため、外壁試験片１５の配置数の増大に伴って暴露試験台１００が左右方向１６に長くなることが抑制される。外壁試験片１５が上下方向１８に並んでいるので、前後方向１７及び上下方向１８からの塵埃及び雨水が、各外壁試験片１５に他の外壁試験片１５によって遮られることなく当たる。外壁試験片１５が前後方向１７に並んでいるので、上側の外壁試験片１５の汚れが下側の外壁試験片１５に流れることがない。したがって、各外壁試験片１５が、外壁試験片１５の配置された位置に関係なく、同じ条件で試験され、実環境で生じる雨筋汚染が各外壁試験片に対して同じ条件で効果的に再現される。
【００５１】
また、第１鋭角８１が第２鋭角８２より小さいので、第２面３２に当接する第３面３３を有する第２フレーム材１２の姿勢とは独立して、保持具１４の姿勢を起立させることができる。したがって、保持具１４に支持された外壁試験片１５に、前後方向１７からの塵埃及び雨水を良好に当てることができる。
【００５２】
また、保持具１４は、第３フレーム材１３における固定位置を左右方向１６に変更可能であるので、保持具１４の固定位置に自由度がある。
【００５３】
また、複数の第１フレーム材１１及び複数の第２フレーム材１２が設けられているので、暴露試験台１００の剛性が強化され、各外壁試験片１５がより安定的に支持される。
【００５４】
［第２実施形態に係る暴露試験台２００］
図６から図９を参照して、第２実施形態に係る暴露試験台２００が説明される。第２実施形態に係る暴露試験台２００は、第１フレーム材２１１、第３前フレーム材１１３、第３後フレーム材２１３、及び雨水受け材１９の点で、第１実施形態に係る暴露試験台１００とは相違している。同一の構成については、同一の符号が用いられると共に、その説明が省略されている。
【００５５】
図６、図７に示されるように、第２実施形態に係る暴露試験台２００は、基礎台１０と、２つの第１フレーム材２１１と、３つの第２フレーム材１２と、第３前フレーム材１１３、第３後フレーム材２１３と、２４個の保持具１４と、８個の雨水受け材１９と、を備えている。各保持具１４には、暴露試験を受ける外壁試験片１５が固定されている。
【００５６】
図７に示されるように、第２実施形態に係る第１フレーム材２１１は、６角柱形状を有している。第１フレーム材２１１は、６つの外周面のうちの２つの外面として、基礎台１０の支持面に当接する第１面２３１と、第１面２３１と交差するように傾斜した第２面２３２と、を有している。第２面２３２が第１面２３１となす角度は、４５°である。第２面２３２が第１面２３１となす角度を除いて、第２実施形態に係る第１フレーム材２１１は、第１実施形態に係る第１フレーム材１１と同一の構成を有している。
【００５７】
第２実施形態に係る第２フレーム材１２は、第１実施形態に係る第２フレーム材１２と同一の構成を有している。ただし、第２実施形態では、第１フレーム材２１１において第２面２３２が第１面２３１となす角度、すなわち第１鋭角１８１が４５°であるため、第２フレーム材１２が水平面に対して傾斜する角度は、４５°となっている。
【００５８】
図７、図８に示されるように、第２実施形態に係る第３前フレーム材（第３フレーム材の一例）１１３は、第１実施形態に係る第２フレーム材１２と同一の構造を有している。第２フレーム材１２の軸線が傾斜方向１２０に向けられているのに対して、第３前フレーム材１１３の軸線は左右方向に向けられている。第３前フレーム材１１３は、４つの外周面のうちの３つの外面として、第５面１３５、固定面１４０、及び第６面１３６を備えている。第５面１３５は、第２実施形態に係る第２フレーム材１２の第４面３４と当接する外面である。固定面１４０は、連結具２５に当接する外面である。第６面１３６は、保持具１４が固定される外面である。
【００５９】
第３前フレーム材１１３は、４つの外面にそれぞれ開口する４つのレール溝１４２を有する。レール溝１４２は、第３前フレーム材１１３の軸線に沿って延びる凹溝である。レール溝１４２は左右方向１６に延びている。第３前フレーム材１１３のレール溝１４２の軸断面形状は、第１フレーム材１１のレール溝４１の軸断面形状と同一である。したがって、第２フレーム材１２は、連結具２５を用いて、他の部品に固定可能である。第５面１３５に当接して配置された連結具２５（図７、図８）により、第３前フレーム材１１３が第２フレーム材１２に固定されている。
【００６０】
第３前フレーム材１１３のレール溝１４２内に挿入された先入れボルト２９と、先入れボルト２９に締結されるナット３０とにより、保持具１４の固定板５０が第３前フレーム材１１３に固定されている。
【００６１】
第２実施形態では、第２面３２が第１面３１に対して傾斜する角度、すなわち第１鋭角１８１は４５°であり、第２面３２が水平面に対して傾斜する第１鋭角２８１は４５°である。第２面３２は、第３面３３、及び第４面３４と平行である。第３前フレーム材１１３に固定された保持具１４において、第７面３７は、第６面３６、及び第４面３４と平行であり、第６面が水平面に対して傾斜する第２鋭角２８２も４５°である。
【００６２】
図７、図９に示されるように、第２実施形態に係る第３後フレーム材（第３フレーム材の一例）２１３は、第２実施形態に係る第１フレーム材２１１と同一の構造を有している。第３後フレーム材２１３の軸線は、第１フレーム材２１１の軸線と同様に、左右方向１６に向けられている。ただし、第３後フレーム材２１３の姿勢は、第１フレーム材２１１の姿勢に対して、９０°回転した姿勢である。第３後フレーム材２１３は、６つの外周面のうちの３つの外面として、第５面２３５、固定面２４０、及び第６面２３６を備えている。第５面２３５は、第２フレーム材１２の第４面３４と当接する外面である。固定面２４０は、連結具２５に当接する外面である。第６面２３６は、保持具１４が固定される外面である。
【００６３】
第３後フレーム材２１３は、固定面２４０及び第６面２３６にそれぞれ開口する２つのレール溝２４３を有する。レール溝２４３は、第３後フレーム材２１３の軸線に沿って延びる凹溝である。第３後フレーム材２１３の軸線は左右方向１６に向けられているので、レール溝２４３は左右方向１６に延びている。第３後フレーム材２１３のレール溝２４３の軸断面形状は、第１フレーム材１１のレール溝４１の軸断面形状と同一である。したがって、第３後フレーム材２１３は、連結具２５を用いて、他の部品に固定可能である。固定面２４０に当接して配置された連結具２５（図７、図９）により、第３後フレーム材２１３が第２フレーム材１２に固定されている。
【００６４】
第３後フレーム材２１３のレール溝１４３内に挿入された先入れボルト２９と、先入れボルト２９に締結されるナット３０とにより、保持具１４の固定板５０が第３後フレーム材２１３に固定されている。
【００６５】
図７、図９に示されるように、暴露試験台２００は、固定板５０の上部に配置された雨水受け材１９を備えている。第２実施形態では、前後方向１７に並んで配置された第３後フレーム材２１３のうち、前側に位置する第３後フレーム材２１３に固定された保持具１４に、雨水受け材１９が設けられている。
【００６６】
雨水受け材１９は、受け板５４と、受け板５４を保持具１４の固定板５０に連結する連結金具６０と、を備えている。
【００６７】
受け板５４は、平板であり、受け板５４の板厚方向に直交する２つの外面を有している。これらの２つの外面の一方の面が、上方に向けられた雨水及び塵埃を受ける第８面３８である。これらの２つの外面は、互いに平行である。受け板５４が固定板５０に対して固定された状態では、受け板５４の第８面３８は固定板５０の第７面３７に対して傾斜している。より詳しくは、受け板５４の固定板５０に対する近位端が遠位端よりも下方に位置する。受け板５４の第８面３８は、固定板５０の第７面３７と交差するように傾斜している。受け板５４の近位端は、固定板５０の第７面３７よりも、固定板５０に固定された外壁試験片１５の表面に近い。
【００６８】
受け板５４は、第８面３８に沿って一方向３９に形成された長孔５５を有している。受け板５４は、一方向３９である長孔５５の長手方向が前後方向１７の成分を含むように、固定板５０に固定される。受け板５４は、長孔５５内に挿入されたボルト５６と、ボルト５６を締結するナット５７とによって、連結金具６０に固定される。詳しくは後述されるが、連結金具６０は固定板５０に固定されている。緩められた状態のボルト５６は、長孔５５内で前後方向１７に移動可能である。そのため、受け板５４の固定板５０に対する固定位置は、前後方向１７において変更可能である。
【００６９】
連結金具６０は、Ｖ字状に屈曲された板状部材である。連結金具６０は、第１板部６１及び第２板部６２を有しており、第２板部６２は第１板部６１に対して屈曲している。第１板部６１は貫通孔６３を有しており、固定板５０は上端部に貫通孔５８を有している。貫通孔６３及び貫通孔５８を介して挿通されたボルト５６と、ボルト５６に締結されるナット５７とにより、第１板部６１は固定板５０に固定されている。第２板部６２は貫通孔６４を有している。貫通孔６４及び長孔５５を介して挿通されたボルト５６と、ボルト５６に締結されるナット５７とにより、第２板部６２は受け板５４に固定されている。したがって、第２板部６２の第１板部６１に対する傾斜角度７７が、受け板５４の第８面３８の固定板５０の第７面３７に対する傾斜角度７７となっている。
【００７０】
第３後フレーム材２１３に固定された保持具１４において、第７面３７は、第６面３６と平行であり、第６面３６は第５面及び第４面に対して４５°だけ傾斜している。第２実施形態では、第４面３４が水平面に対して傾斜する第１鋭角２８１は４５°であるため、第３後フレーム材２１３に固定された保持具１４の第７面３７が水平面に対して傾斜する第２鋭角２８２は、９０°である。本明細書では、第２鋭角は、０°から９０°までの角度を含んでいる。つまり、第３後フレーム材２１３に支持された外壁試験片１５は、上下方向１８に沿った姿勢に起立している。
【００７１】
［第２実施形態の作用効果］
第２実施形態に係る暴露試験台２００は、第１実施形態に係る暴露試験台１００と同様の効果を有する。
【００７２】
さらに、第２実施形態に係る暴露試験台２００によれば、暴露試験台２００が雨水受け材１９を備えているので、雨水受け材１９に当たった塵埃及び雨水が雨水受け材１９を伝って、保持具１４に支持された外壁試験片１５に流れうる。各外壁試験片１５に当たる塵埃及び雨水の量を増大させることができるので、より効率的な暴露試験が実施可能となる。
【００７３】
また、雨水受け材１９の近位端の位置が前後方向１７において変更可能であるので、雨水受け材１９に当たった塵埃及び雨水が適切に外壁試験片１５に流される。
【００７４】
［変形例］
以上、本発明の実施の形態を詳細に説明してきたが、前述までの説明はあらゆる点において本発明の例示に過ぎない。本発明の範囲を逸脱することなく種々の改良や変形を行うことができることは言うまでもない。第１及び第２実施形態に係る暴露試験台１００、２００の各構成要素に関して、実施の形態に応じて、適宜、構成要素の省略、置換、及び追加が行われてもよい。また、暴露試験台１００、２００の各構成要素の形状及び大きさも、実施の形態に応じて、適宜、設定されてよい。例えば、以下の変更が可能である。
【００７５】
第１及び第２実施形態に係る暴露試験台１００、２００は、２つの第１フレーム材と、３つの第２フレーム材と、３つの第３フレーム材を組み合わせて構成されているが、これらのフレーム材の配設数は限定されるものではない。暴露試験台は、少なくとも１つの第１フレーム材と、少なくとも１つの第２フレーム材と、２以上の第３フレーム材を有していればよい。
【００７６】
第１及び第２実施形態に係る暴露試験台１００、２００では、第１フレーム材１１、２１１、第２フレーム材１２、及び第３フレーム材１３、１１３、２１３として、市場で流通している汎用品が用いられている。第１フレーム材については、軸線回りの外周面が、第１面と、第１面と交差するように傾斜した第２面を有するフレーム材であれば、外周面を構成する面の数及び外周面を構成する面の位置関係は、限定されない。第２フレーム材については、軸線回りの外周面が、第３面と、第３面と交差するように傾斜した第４面を有するフレーム材であれば、外周面を構成する面の数及び外周面を構成する面の位置関係は、限定されない。第３フレーム材については、軸線回りの外周面が、第５面と、第５面と交差するように傾斜した第６面を有するフレーム材であれば、外周面を構成する面の数及び外周面を構成する面の位置関係は、限定されない。
【００７７】
第１実施形態に係る暴露試験台１００では、第６面３６の水平面に対する第２鋭角８２、すなわち保持具１４の傾斜角度は、全ての保持具１４において同一である。この第２鋭角８２は６０°である。第２実施形態に係る暴露試験台１００では、前側に配置された第３前フレーム材１１３に支持された保持具１４の傾斜角度（第２鋭角１８２）は、４５°であり、中央及び後ろ側に配置された第３後フレーム材２１３に支持された保持具１４の傾斜角度（第２鋭角２８２）は、９０°である。暴露試験台において、第６面３６の水平面に対する第２鋭角、つまり保持具１４の傾斜角度は、同一であっても異なっていても良い。
【００７８】
第２実施形態に係る暴露試験台２００では、雨水受け材１９が、中央に配置された第３後フレーム材２１３に支持された保持具１４に固定されている。雨水受け材１９は、暴露試験台に設けられた保持具１４の一部だけではなく、暴露試験台に設けられた保持具１４の全部に設けられても良い。
【００７９】
第１及び第２実施形態に係る暴露試験台１００、２００では、同一構成の複数の外壁試験片１５が設けられている。構成の異なる複数の外壁試験片１５が設けられてもよい。あるいは、同一構成の外壁試験片１５について、第２実施形態に係る暴露試験台２００のように、水平面に対する姿勢（傾斜角度）が異なる複数の外壁試験片１５が設けられてもよい。
【符号の説明】
【００８０】
１０・・・基礎台
１１、２１１・・・第１フレーム材
１２・・・第２フレーム材
１３・・・第３フレーム材
１４・・・保持具
１５・・・外壁試験片
１６・・・左右方向
１７・・・前後方向
１８・・・上下方向
１９・・・雨水受け材
２５・・・連結具
２６・・・上端面（支持面の一例）
２７・・・上端面（支持面の一例）
３１、２３１・・・第１面
３２、２３２・・・第２面
３３・・・第３面
３４・・・第４面
３５、１３５、２３５・・・第５面
３６、１３６、２３６・・・第６面
３７・・・第７面
３８・・・第８面
４０、１４０、２４０・・・固定面
４１、４２、４３、１４２、１４３、２４３・・・レール溝
５０・・・固定板
５４・・・受け板
５５・・・長孔
８１、１８１、２８１・・・第１鋭角
８２、１８２、２８２・・・第２鋭角
１００、２００・・・暴露試験台
１１３・・・第３前フレーム材（第３フレーム材の一例）
２１３・・・第３後フレーム材（第３フレーム材の一例）
３００・・・縦材
【図１】
2018087787.tif 000003
【図２】
2018087787.tif 000004
【図３】
2018087787.tif 000005
【図４】
2018087787.tif 000006
【図５】
2018087787.tif 000007
【図６】
2018087787.tif 000008
【図７】
2018087787.tif 000009
【図８】
2018087787.tif 000010
【図９】
2018087787.tif 000011
【図１０】
2018087787.tif 000012